(57)【要約】      （修正有）【課題】密封性が高く、しかも、開口部の開放操作のみで十分な空気を取り入れることができるうえ、浮遊性を確保することができる防水ケースを提供する。【解決手段】雌雄一方の帯状面ファスナ１７と雌雄他方の帯状面ファスナ１８とは、一対の第１薄肉開閉片９，１０を弾性変形させて開口部５を開口させることによって空気収納室に外気を取り入れるとともに、一対の第２薄肉開閉片１３，１４を弾性変形させて物品取入口７を開口させることによって物品収納室８に物品（Ｓ）を収納したうえで、開口部が延びる方向と直交する収納奥行き方向に向かって開口部と物品取入口とを内側に巻き込むように各シート２，３，４を複数回折り曲げたときに、互いに係合する位置に配置した、ことを特徴とする。【選択図】図１
0003211444.tif 000002
【実用新案登録請求の範囲】
【請求項１】
一対の軟質性防水樹脂シートの周縁部のうちの一部を直線状の開口部とするとともに残余部を前記各シート同士に対する第１接合部とする空気収納室と、
前記一対の軟質性防水樹脂シートのうちの一方の表面に位置し、軟質性透明防水樹脂シートの周縁部のうちの一部を前記開口部と平行な直線状の物品取入口とするとともに残余部を前記一方の軟質性防水樹脂シートに対する第２接合部とする物品収納室と、
前記開口部の縁部に沿いかつ全幅に跨るように前記一対の軟質性防水樹脂シートに対向配置した弾性変形可能な一対の第１薄肉開閉片と、
前記物品取入口の縁部に沿いかつ全幅に跨るように前記軟質性透明防水樹脂シート及び前記一方の軟質性防水樹脂シートに対向配置した弾性変形可能な一対の第２薄肉開閉片と、
前記一対の軟質性防水樹脂シートの他方の表面であって前記開口部から離間した位置に、前記開口部の縁部と平行かつ全幅に跨るように配置した雌雄一方の帯状面ファスナと、
前記軟質性透明防水樹脂シートの表面であって雌雄一方の帯状面ファスナ及び前記物品取入口から離間した位置に、前記物品取入口の縁部と平行かつ全幅に跨るように配置した雌雄他方の帯状面ファスナと、
を備え、
前記雌雄一方の帯状面ファスナと前記雌雄他方の帯状面ファスナとは、前記一対の第１薄肉開閉片を弾性変形させて前記開口部を開口させることによって前記空気収納室に外気を取り入れるとともに、前記一対の第２薄肉開閉片を弾性変形させて前記物品取入口を開口させることによって前記物品収納室に物品を収納したうえで、前記開口部が延びる方向と直交する収納奥行き方向に向かって前記開口部と前記物品取入口とを内側に巻き込むように前記各シートを複数回折り曲げたときに、互いに係合する位置に配置した、
ことを特徴とする防水ケース。
【請求項２】
前記開口部から前記一対の第１薄肉開閉片を含む前記雌雄一方の帯状面ファスナまでの前記収納奥行き方向に向かう離間距離と、前記雌雄一方の帯状面ファスナの前記収納奥行き方向に向かう高さと、前記雌雄一方の帯状面ファスナから前記雌雄他方の帯状面ファスナまでの前記収納奥行き方向に向かう離間距離と、前記雌雄他方の帯状面ファスナの前記収納奥行き方向に向かう高さと、を同じとした、
ことを特徴とする請求項１に記載の防水ケース。
【請求項３】
前記物品取入口及び前記第２薄肉開閉片が前記雌雄一方の帯状面ファスナの前記収納奥行き方向の高さの範囲内に位置している、
ことを特徴とする請求項１又は請求項２に記載の防水ケース。
【請求項４】
前記空気収納室の内部であって前記収納奥行き方向に向かって前記雌雄他方の帯状面ファスナよりも離間した位置の前記一対の軟質性防水樹脂シートに、前記雌雄他方の帯状面ファスナの縁部に沿いかつ全幅に跨るように対向配置した弾性変形可能な一対の第３薄肉開閉片を備える、
ことを特徴とする請求項１乃至請求項３の何れか１の請求項に記載の防水ケース。
【請求項５】
前記一対の第３薄肉開閉片は、一方は金属薄肉シートとし、他方はマグネットシートとした、
ことを特徴とする請求項４に記載の防水ケース。
【考案の詳細な説明】
【技術分野】
【０００１】
本考案は、水に濡れると不都合な物品を収納する防水ケース、特に、物品を収納したまま水面に浮かせることができる防水ケースに関する。
【背景技術】
【０００２】
従来、携帯電話、スマートフォン、タブレット端末などの携帯通信端末は、水に濡れると故障等の原因となる一方、携帯していることで利便性が高いものとなっている。したがって、例えば、入浴中においても、待機若しくは使用可能な状態で携帯したいという要望が高い。
【０００３】
そこで、塩化ビニールなどの防水性に優れたシート状部材を袋状に形成して物品収納室とするとともに、この物品収納室とは隔絶した空気収納室を一体に有する防水ケースが知られている（例えば、特許文献１，２参照）。
【先行技術文献】
【特許文献】
【０００４】
【特許文献１】実用新案登録第３０７２１９３号公報
【特許文献２】実用新案登録第３０６９５６３号公報
【考案の概要】
【考案が解決しようとする課題】
【０００５】
しかしながら、特許文献１に開示の防水ケースの場合、物品収納室の周囲及び表裏で連通した空気室となっていることから、空気収納室に対する空気は空気弁の開閉によるしか出し入れすることができず、例えば、必要時には周知の浮き輪を膨らませるときのように人工的に空気を強制導入しなければならないという面倒が生じていた。
【０００６】
また、特許文献２に開示の防水ケースの場合、物品収納室に物品を収納した利用形態のまま必要時に空気収納室に空気を取り入れるには、特許文献１と同様に空気弁を利用して人工的に空気を強制導入しなければ十分な空気を取り入れることができず、収納物をケース本体の一方面に押圧して保持することができないという問題が生じていた。
【０００７】
なお、特許文献１に開示の技術にあっては、空気弁とは別に上縁に開口部を有し、ここから空気収納室に空気を取り入れることも可能であるが、密封性が低いことから空気収納室から空気が漏れ易いうえ、単に開放しただけでは空気を十分に取り入れにくいという問題も有している。また、取り入れた空気量が同じである場合に、防水ケースの表面積に対して収納物品の表面積が狭いと、特に、携帯通信端末のように重さを有する収納物品の場合、重量荷重が集中してしまい、浮遊性を確保することができないという問題もある。
【０００８】
本考案は、密封性が高く、しかも、開口部の開放操作のみで十分な空気を取り入れることができるうえ、浮遊性を確保することができる防水ケースを提供することを目的とする。
【課題を解決するための手段】
【０００９】
上記目的を達成するため、請求項１記載の考案にあっては、一対の軟質性防水樹脂シートの周縁部のうちの一部を直線状の開口部とするとともに残余部を各シート同士に対する第１接合部とする空気収納室と、一対の軟質性防水樹脂シートのうちの一方の表面に位置し、軟質性透明防水樹脂シートの周縁部のうちの一部を開口部と平行な直線状の物品取入口とするとともに残余部を一方の軟質性防水樹脂シートに対する第２接合部とする物品収納室と、開口部の縁部に沿いかつ全幅に跨るように一対の軟質性防水樹脂シートに対向配置した弾性変形可能な一対の第１薄肉開閉片と、物品取入口の縁部に沿いかつ全幅に跨るように軟質性透明防水樹脂シート及び一方の軟質性防水樹脂シートに対向配置した弾性変形可能な一対の第２薄肉開閉片と、一対の軟質性防水樹脂シートの他方の表面であって開口部から離間した位置に、開口部の縁部と平行かつ全幅に跨るように配置した雌雄一方の帯状面ファスナと、軟質性透明防水樹脂シートの表面であって雌雄一方の帯状面ファスナ及び物品取入口から離間した位置に、物品取入口の縁部と平行かつ全幅に跨るように配置した雌雄他方の帯状面ファスナと、を備え、雌雄一方の帯状面ファスナと雌雄他方の帯状面ファスナとは、一対の第１薄肉開閉片を弾性変形させて開口部を開口させることによって空気収納室に外気を取り入れるとともに、一対の第２薄肉開閉片を弾性変形させて物品取入口を開口させることによって物品収納室に物品を収納したうえで、開口部が延びる方向と直交する収納奥行き方向に向かって開口部と物品取入口とを内側に巻き込むように各シートを複数回折り曲げたときに、互いに係合する位置に配置した、ものである。
【００１０】
請求項２記載の考案にあっては、開口部から一対の第１薄肉開閉片を含む雌雄一方の帯状面ファスナまでの収納奥行き方向に向かう離間距離と、雌雄一方の帯状面ファスナの収納奥行き方向に向かう高さと、雌雄一方の帯状面ファスナから雌雄他方の帯状面ファスナまでの収納奥行き方向に向かう離間距離と、雌雄他方の帯状面ファスナの収納奥行き方向に向かう高さと、を同じとした、ものである。
【００１１】
請求項３記載の考案にあっては、物品取入口及び第２薄肉開閉片が雌雄一方の帯状面ファスナの収納奥行き方向の高さの範囲内に位置している、ものである。
【００１２】
請求項４記載の考案にあっては、空気収納室の内部であって収納奥行き方向に向かって雌雄他方の帯状面ファスナよりも離間した位置の一対の軟質性防水樹脂シートに、雌雄他方の帯状面ファスナの縁部に沿いかつ全幅に跨るように対向配置した弾性変形可能な一対の第３薄肉開閉片を備える、ものである。
【００１３】
請求項５記載の考案にあっては、一対の第３薄肉開閉片は、一方は金属薄肉シートとし、他方はマグネットシートとした、ものである。
【考案の効果】
【００１４】
本考案によれば、空気収納室と物品収納室とを別々に設けるとともに、空気収納室の開口部に弾性変形可能な一対の第１薄肉開閉片を設けたことにより、この一対の第１薄肉開閉片を弾性変形させて開口部を開口させるだけで急激な開口に伴って空気収納室に外気を取り入れることができる。
また、一対の第１薄肉開閉片の弾性変形を弾性力によって元の状態に復帰させれば密封性を確保することができる。さらに、開口部が延びる方向と直交する収納奥行き方向に向かって開口部と物品取入口とを内側に巻き込むように各シートを複数回折り曲げたときに、雌雄の異なる帯状面ファスナが互いに係合することにより、さらに密封性を確保しつつ空気収納室の容積を小さくすることができ、結果的に収納物品の表面積に対して防水ケースの表面積を近づけることによって浮遊性を確保することができる。
【００１５】
このように、密封性が高く、しかも、開口部の開放操作のみで十分な空気を取り入れることができるうえ、浮遊性を確保することができる。
【００１６】
また、雌雄の帯状面ファスナの収納奥行き方向に向かう高さを基準として、開口部と物品取入口とを内側に巻き込むように各シートを複数回折り曲げたときに、雌雄の異なる帯状面ファスナが互いに係合するように均等配置したことにより、特別な折れ線を設けることなく、折り曲げ作業を容易に行うことができる。
【００１７】
また、物品取入口及び第２薄肉開閉片を雌雄一方の帯状面ファスナの収納奥行き方向の高さの範囲内に位置させたことにより、物品取入口からの物品の出し入れを容易に行うことができるうえ、開口部と物品取入口とを内側に巻き込むように各シートを複数回折り曲げたときに、雌雄一方の帯状面ファスナの厚さ及びクッション性を利用して第２薄肉開閉片による物品取入口の密封性を向上することができる。
【００１８】
また、空気収納室の内部に弾性変形可能な一対の第３薄肉開閉片を設けることにより、第１薄肉開閉片による開口部の開口操作と同時に空気収納室の内部を強制的に広げることができ、空気収納室への空気の取り入れをより一層確保することができる。
【００１９】
さらに、一対の第３薄肉開閉片を金属薄肉シートとマグネットシートとで構成することにより、空気収納室の容積をさらに狭くすることができるうえ、密着性を確保することができる。
【図面の簡単な説明】
【００２０】
【図１】本考案の一実施の形態に係る防水ケースの正面図である。
【図２】本考案の一実施の形態に係る防水ケースの斜視図である。
【図３】本考案の一実施の形態に係る防水ケースを示し、（Ａ）は要部の構成部品を分解した状態の断面図、（Ｂ）は要部の断面図である。
【図４】本考案の一実施の形態に係る防水ケースにおける開口部を開口した状態を示し、（Ａ）は要部の斜視図、（Ｂ）は要部の断面図である。
【図５】本考案の一実施の形態に係る防水ケースにおける物品取入口を開口した状態を示し、（Ａ）は要部の斜視図、（Ｂ）は要部の断面図である。
【図６】本考案の一実施の形態に係る防水ケースの折り曲げ手順を示し、（Ａ）は１回目の折り曲げ状態における正面図、（Ｂ）は断面図である。
【図７】本考案の一実施の形態に係る防水ケースの折り曲げ手順を示し、（Ａ）は２回目の折り曲げ状態における正面図、（Ｂ）は断面図である。
【図８】本考案の一実施の形態に係る防水ケースの折り曲げ手順を示し、（Ａ）は３回目の折り曲げ状態における正面図、（Ｂ）は断面図である。
【図９】本考案の一実施の形態に係る他の防水ケースの一例の正面図である。
【考案を実施するための形態】
【００２１】
次に、本考案に係る一実施の形態について図面を参照して説明する。なお、各図において、説明の便宜上、一部の肉厚は省略して図示している。
【００２２】
図１及び図２において、防水ケース１は、塩化ビニールなどの一対の軟質性防水樹脂シート２，３と、同じく塩化ビニールなどの軟質性透明防水樹脂シート４と、により２重の袋構造を採用している。
【００２３】
一対の軟質性防水樹脂シート２，３は、素材的には同一のものを使用しており、必要に応じて有色透明若しくは無色透明なシートを用いている。一対の軟質性防水樹脂シート２，３は、例えば、一部の角部をＲ状とした略長方形のものを用いている。
【００２４】
ここでは、一対の軟質性防水樹脂シート２，３は、直線状の一方の短辺（図示上方）を除く３辺を周縁部として熱溶着等によって接合（第１接合部）している。
【００２５】
これにより、一対の軟質性防水樹脂シート２，３は、直線状の一方の短辺を接合していない開口部５とする袋状の空気収納室６を形成している。
【００２６】
軟質性透明防水樹脂シート４は、収納物としてのスマートフォンＳの画面が見えるように無色透明な塩化ビニール製のシートを用いている。
【００２７】
軟質性透明防水樹脂シート４は、一対の軟質性防水樹脂シート２，３に対して幅方向（図１の紙面左右方向）は同じとしており、高さ方向（図１の紙面上下方向）に対して低い略長方形のものを用いている。
【００２８】
ここでは、軟質性透明防水樹脂シート４は、一対の軟質性防水樹脂シート２，３のうちの一方、例えば、軟質性防水樹脂シート２の表面に位置しており、開口部５と平行な直線状の一方の短辺（図示上方）を除く３辺を周縁部として熱溶着等によって一方の軟質性防水樹脂シート２に対して接合（第２接合部）している。
【００２９】
なお、本実施の形態では、軟質性透明防水樹脂シート４の接合は一対の軟質性防水樹脂シート２，３と兼用している。
【００３０】
これにより、軟質性透明防水樹脂シート４と一方の軟質性防水樹脂シート２とは、直線状の一方の短辺を接合していない物品取入口７とする袋状の物品収納室８を形成している。
【００３１】
このように、防水ケース１は、一対の軟質性防水樹脂シート２，３の周縁部のうちの一部を直線状の開口部５とするとともに残余部を各シート同士に対する第１接合部とする空気収納室６と、一対の軟質性防水樹脂シート２，３のうちの一方の表面に位置し、軟質性透明防水樹脂シート４の周縁部のうちの一部を開口部５と平行な直線状の物品取入口７とするとともに残余部を一方の軟質性防水樹脂シート２に対する第２接合部とする物品収納室８と、を備える。
【００３２】
図３に示すように、一対の軟質性防水樹脂シート２，３は、空気収納室６を基準とする各内面に、開口部５の縁部に沿いかつ全幅に跨るようにプラスチック製シート等の薄肉で弾性変形可能な一対の第１薄肉開閉片９，１０を設けている。
【００３３】
この第１薄肉開閉片９，１０は、例えば、一対の軟質性防水樹脂シート２，３と同質材料によって少なくとも第１薄肉開閉片９，１０の高さ方向に高い当てシート１１，１２の縁部を一対の軟質性防水樹脂シート２，３に対して熱溶着により接合することで取り付けている。
【００３４】
なお、当てシート１１，１２を一対の軟質性防水樹脂シート２，３と同質材料としたのは、熱溶着による接合性の確保と第１薄肉開閉片９，１０の弾性変形性の確保のためである。
【００３５】
軟質性透明防水樹脂シート４と一方の軟質性防水樹脂シート２とは、物品収納室８を基準とする各内面に、物品取入口７の縁部に沿いかつ全幅に跨るようにプラスチック製シート等の薄肉で弾性変形可能な一対の第２薄肉開閉片１３，１４を設けている。
【００３６】
この第２薄肉開閉片１３，１４は、例えば、軟質性透明防水樹脂シート４及び一方の軟質性防水樹脂シート２と同質材料によって少なくとも第２薄肉開閉片１３，１４の高さ方向に高い当てシート１５，１６の縁部を軟質性透明防水樹脂シート４及び一方の軟質性防水樹脂シート２に対して熱溶着により接合することで取り付けている。
【００３７】
なお、当てシート１５，１６を軟質性透明防水樹脂シート４及び一方の軟質性防水樹脂シート２と同質材料としたのは、熱溶着による接合性の確保と第２薄肉開閉片１３，１４の弾性変形性の確保のためである。
【００３８】
このように、防水ケース１は、開口部５の縁部に沿いかつ全幅に跨るように一対の軟質性防水樹脂シート２，３に対向配置した弾性変形可能な一対の第１薄肉開閉片９，１０と、物品取入口７の縁部に沿いかつ全幅に跨るように軟質性透明防水樹脂シート４及び一方の軟質性防水樹脂シート２に対向配置した弾性変形可能な一対の第２薄肉開閉片１３，１４と、を備える。
【００３９】
一対の軟質性防水樹脂シート２，３のうち、軟質性透明防水樹脂シート４を設けていない他方の軟質性防水樹脂シート３の表面には、雌雄の一方の帯状面ファスナ１７を設けている。
【００４０】
この帯状面ファスナ１７は、図示を略す両面テープや接着剤により他方の軟質性防水樹脂シート３の表面に固定している。
【００４１】
帯状面ファスナ１７は、開口部５から高さ方向で離間した位置、すなわち、開口部５の縁部が延びる方向と直交する収納奥行き方向に向かって所定距離だけ離れて位置において、開口部５の縁部と平行かつ全幅に跨っている。
【００４２】
軟質性透明防水樹脂シート４の表面には、雌雄の他方の帯状面ファスナ１８を設けている。この帯状面ファスナ１８は、図示を略す両面テープや接着剤により軟質性透明防水樹脂シート４の表面に固定している。
【００４３】
帯状面ファスナ１８は、帯状面ファスナ１７及び物品取入口７から高さ方向で離間した位置、すなわち、物品取入口７の縁部が延びる方向と直交する収納奥行き方向に向かって所定距離だけ離れて位置において、物品取入口７の縁部と平行かつ全幅に跨っている。
【００４４】
このように、防水ケース１は、一対の軟質性防水樹脂シート２，３の他方の表面であって開口部５から離間した位置に、開口部５の縁部と平行かつ全幅に跨るように配置した雌雄一方の帯状面ファスナ１７と、軟質性透明防水樹脂シート４の表面であって雌雄一方の帯状面ファスナ１７及び物品取入口７から離間した位置に、物品取入口７の縁部と平行かつ全幅に跨るように配置した雌雄他方の帯状面ファスナ１８と、を備える。
【００４５】
一対の軟質性防水樹脂シート２，３は、空気収納室６を基準とする各内面に、雌雄他方の帯状面ファスナ１８の縁部に沿いかつ全幅に跨るようにプラスチック製シート等の薄肉で弾性変形可能な一対の第３薄肉開閉片１９，２０を設けている。
【００４６】
この第３薄肉開閉片１９，２０は、例えば、一対の軟質性防水樹脂シート２，３と同質材料によって少なくとも第３薄肉開閉片１９，２０の高さ方向に高い当てシート２１，２２の縁部を一対の軟質性防水樹脂シート２，３に対して熱溶着により接合することで取り付けている。
【００４７】
なお、当てシート２１，２２を一対の軟質性防水樹脂シート２，３と同質材料としたのは、熱溶着による接合性の確保と第３薄肉開閉片１９，２０の弾性変形性の確保のためである。
【００４８】
第３薄肉開閉片１９，２０は、例えば、その一方には金属製の薄肉なシートを用い、他方にはマグネットシートを用いることができる。
【００４９】
このように、防水ケース１は、空気収納室６の内部であって収納奥行き方向に向かって雌雄他方の帯状面ファスナ１８よりも離間した位置の一対の軟質性防水樹脂シート２，３に、雌雄他方の帯状面ファスナ１８の縁部に沿いかつ全幅に跨るように対向配置した弾性変形可能な一対の第３薄肉開閉片１９，２０を備える。
【００５０】
また、一対の第３薄肉開閉片１９，２０は、一方は金属薄肉シートとし、他方はマグネットシートとしている。
【００５１】
ここで、図１に示すように、開口部５から一対の第１薄肉開閉片９，１０を含む雌雄一方の帯状面ファスナ１７までの収納奥行き方向に向かう離間距離Ｔ１と、雌雄一方の帯状面ファスナ１７の収納奥行き方向に向かう高さＴ２と、雌雄一方の帯状面ファスナ１７から雌雄他方の帯状面ファスナ１８までの収納奥行き方向に向かう離間距離Ｔ３と、雌雄他方の帯状面ファスナ１８の収納奥行き方向に向かう高さＴ４とは、略同じとしている。
【００５２】
また、物品取入口７及び第２薄肉開閉片１３，１４が雌雄一方の帯状面ファスナ１７の収納奥行き方向の高さＴ２の範囲内に位置している。
【００５３】
次に、一対の第１薄肉開閉片９，１０、一対の第２薄肉開閉片１３，１４、一対の第３薄肉開閉片１９，２０、の作用を説明する。
【００５４】
図４に示すように、一対の第１薄肉開閉片９，１０及び一対の第３薄肉開閉片１９，２０は、何れも幅方向の両端部を互いに接近させる外力を加えることにより、その幅方向中心を最大として略Ｕの字状に屈曲変形して離間し、開口部５及び空気収納室６を開口する。
【００５５】
この際、一対の第１薄肉開閉片９，１０及び一対の第３薄肉開閉片１９，２０は、その外力が強いほど急激に屈曲変形して開口部５及び空気収納室６を開口させる。これにより、外気を開口部５から空気収納室６に向けて急激に取り入れることができる。
【００５６】
また、一対の第１薄肉開閉片９，１０及び一対の第３薄肉開閉片１９，２０は、幅方向両端に加えた外力を開放すると、自身の弾性により元の状態へと復帰し、開口部５を閉じる。
【００５７】
なお、一対の第３薄肉開閉片１９，２０は、膨らんだ状態の中途部に位置しているため、元の状態には復帰し難くなっている。
【００５８】
図５に示すように、一対の第２薄肉開閉片１３，１４は、幅方向の両端部を互いに接近させる外力を加えることにより、その幅方向中心を最大として略Ｕの字状に屈曲変形して離間し、物品取入口７を開口する。
【００５９】
これにより、物品収納室８の内部に物品取入口７からスマートフォンＳを収納することができる。
【００６０】
この際、スマートフォンＳは、物品取入口７よりも向こう側（縦利用の場合の利用者基準）、或いは、物品取入口７よりも下側（横利用の場合の利用者基準）に一方の軟質性防水樹脂シート２が位置していることから、この一方の軟質性防水樹脂シート２をガイド壁として利用することができる。
【００６１】
このような空気収納室６に外気を取り入れ、物品収納室８にスマートフォンＳを収納した状態で、より好ましくは、開口部５が位置する側の各シート２，３，４を複数回折り曲げた状態で、帯状面ファスナ１７と帯状面ファスナ１８とを互いに係合させるのが良い。
【００６２】
具体的には、図６に示すように、先ず一対の軟質性防水樹脂シート２，３の開口部５が物品取入口７を設けた側に向かって折り曲げる。
【００６３】
次に、図７に示すように、開口部５及び物品取入口７を巻き込むように、一対の軟質性防水樹脂シート２，３及び軟質性透明防水樹脂シート４を折り曲げる。
【００６４】
さらに、図８に示すように、帯状面ファスナ１７と帯状面ファスナ１８とが係合するように、もう一度折り曲げる。
【００６５】
このように、雌雄一方の帯状面ファスナ１７と雌雄他方の帯状面ファスナ１８とは、一対の第１薄肉開閉片９，１０を弾性変形させて開口部５を開口させることによって空気収納室６に外気を取り入れるとともに、一対の第２薄肉開閉片１３，１４を弾性変形させて物品取入口７を開口させることによって物品収納室８に物品（スマートフォンＳ）を収納したうえで、開口部５が延びる方向と直交する収納奥行き方向に向かって開口部５と物品取入口７とを内側に巻き込むように各シート２，３，４を複数回折り曲げたときに、互いに係合する位置に配置している。
【００６６】
すなわち、空気収納室６と物品収納室８とを別々に設けるとともに、空気収納室６の開口部５に弾性変形可能な一対の第１薄肉開閉片９，１０を設けたことにより、この一対の第１薄肉開閉片９，１０を弾性変形させて開口部５を開口させるだけで急激な開口に伴って空気収納室６に外気を取り入れることができる。
また、一対の第１薄肉開閉片９，１０の弾性変形を弾性力によって元の状態に復帰させれば密封性を確保することができる。さらに、開口部５が延びる方向と直交する収納奥行き方向に向かって開口部５と物品取入口７とを内側に巻き込むように各シート２，３，４を複数回折り曲げたときに、雌雄の異なる帯状面ファスナ１７，１８が互いに係合することにより、さらに密封性を確保しつつ空気収納室６の容積を小さくすることができ、結果的に収納物品であるスマートフォンＳの表面積に対して防水ケース１の表面積を近づけることによって浮遊性を確保することができる。
【００６７】
このように、密封性が高く、しかも、開口部の開放操作のみで十分な空気を取り入れることができるうえ、浮遊性を確保することができる。
【００６８】
また、雌雄の帯状面ファスナ１７，１８の収納奥行き方向に向かう高さを基準として、開口部５と物品取入口７とを内側に巻き込むように各シート２，３，４を複数回折り曲げたときに、雌雄の異なる帯状面ファスナ１７，１８が互いに係合するように均等配置したことにより、特別な折れ線を設けることなく、折り曲げ作業を容易に行うことができる。
【００６９】
また、物品取入口７及び第２薄肉開閉片１３，１４を雌雄一方の帯状面ファスナ１７の収納奥行き方向の高さの範囲内に位置させたことにより、物品取入口７からのスマートフォンＳの出し入れを容易に行うことができるうえ、開口部５と物品取入口７とを内側に巻き込むように各シート２，３，４を複数回折り曲げたときに、雌雄一方の帯状面ファスナ１７の厚さ及びクッション性を利用して第２薄肉開閉片１３，１４による物品取入口７の密封性を向上することができる。
【００７０】
また、空気収納室６の内部に弾性変形可能な一対の第３薄肉開閉片１９，２０を設けることにより、第１薄肉開閉片９，１０による開口部５の開口操作と同時に空気収納室６の内部を強制的に広げることができ、空気収納室６への空気の取り入れをより一層確保することができる。
【００７１】
さらに、一対の第３薄肉開閉片１９，２０を金属薄肉シートとマグネットシートとで構成することにより、空気収納室６の容積をさらに狭くすることができるうえ、密着性を確保することができる。
【００７２】
ところで、本考案の防水ケース１は、上述した箱に限定されるものではない。例えば、上記実施の形態では、各シート２，３，４を長方形で構成したが、その形状や接合部は限定されるものではない。
【００７３】
具体的には、図９に示す防水ケース３１のように、一対の軟質性防水樹脂シート３２，３３の周縁部のうちの一部を直線状に切り欠いて開口部３５とするとともに残余部を各シート３２，３３に対する接合部とする空気収納室３６と、一対の軟質性防水樹脂シート３２，３３のうちの一方の表面に位置し、軟質性透明防水樹脂シート３４の周縁部のうちの上下各一部を開口部３５と平行な直線状に切り欠いて一方を物品取入口３７とするとともに残余部を一方の軟質性防水樹脂シート３２に対する接合部とする物品収納室３８と、開口部３５の縁部に沿いかつ全幅に跨るように一対の軟質性防水樹脂シート３２，３３に対向配置した弾性変形可能な一対の第１薄肉開閉片３９，４０と、物品取入口３７の縁部に沿いかつ全幅に跨るように軟質性透明防水樹脂シート３４及び一方の軟質性防水樹脂シート３２に対向配置した弾性変形可能な一対の第２薄肉開閉片４３，４４と、一対の軟質性防水樹脂シート３２、３３の他方の表面であって開口部３５から離間した位置に、開口部３５の縁部と平行かつ全幅に跨るように配置した雌雄一方の帯状面ファスナ４７と、軟質性透明防水樹脂シート３４の表面であって雌雄一方の帯状面ファスナ１７及び物品取入口３７から離間した位置に、物品取入口３７の縁部と平行かつ全幅に跨るように配置した雌雄他方の帯状面ファスナ４８と、を備える構成としても良い。なお、符号４９，５０は第３薄肉開閉片である。
【００７４】
また、以上既に述べた以外にも、例えば、第１薄肉開閉片９，１０或いは第２薄肉開閉片１３，１４の一方を金属薄肉シートとし、他方をマグネットシートとするなど、上記実施の形態による手法を適宜組み合わせて利用しても良い。
【００７５】
その他、本考案は、その趣旨を逸脱しない範囲内において、種々の変更が加えられて実施されるものである。
【００７６】
以上説明したように、本考案に係る防水ケースは、密封性が高く、しかも、開口部の開放操作のみで十分な空気を取り入れることができるうえ、浮遊性を確保することができるという効果を有し、水に濡れると不都合な物品を収納する防水ケース、特に、物品を収納したまま水面に浮かせることができる防水ケース全般に有用である。
【符号の説明】
【００７７】
１    防水ケース
２    軟質性防水樹脂シート（一方）
３    軟質性防水樹脂シート（他方）
４    軟質性透明防水樹脂シート
５    開口部
６    空気収納室
７    物品取入口
８    物品収納室
９    第１薄肉開閉片
１０    第１薄肉開閉片
１１    当てシート
１２    当てシート
１３    第２薄肉開閉片
１４    第２薄肉開閉片
１５    当てシート
１６    当てシート
１７    帯状面ファスナ（雌雄の一方）
１８    帯状面ファスナ（雌雄の他方）
１９    第３薄肉開閉片
２０    第３薄肉開閉片
２１    当てシート
２２    当てシート
３１    防水ケース
３２    軟質性防水樹脂シート（一方）
３３    軟質性防水樹脂シート（他方）
３４    軟質性透明防水樹脂シート
３５    開口部
３６    空気収納室
３７    物品取入口
３８    物品収納室
３９    第１薄肉開閉片
４０    第１薄肉開閉片
４３    第２薄肉開閉片
４４    第２薄肉開閉片
４７    帯状面ファスナ
４８    帯状面ファスナ
４９    第３薄肉開閉片
５０    第３薄肉開閉片
Ｓ    スマートフォン（収納物品）
Ｔ１    離間距離
Ｔ２    高さ
Ｔ３    離間距離
Ｔ４    高さ
【図１】
0003211444.tif 000003
【図２】
0003211444.tif 000004
【図３】
0003211444.tif 000005
【図４】
0003211444.tif 000006
【図５】
0003211444.tif 000007
【図６】
0003211444.tif 000008
【図７】
0003211444.tif 000009
【図８】
0003211444.tif 000010
【図９】
0003211444.tif 000011